(57)【要約】【課題】  高い施工自由度で、バラエティに富んだ化粧出隅の構築に使用される化粧出隅部材を提供する。【解決手段】  垂直方向に沿って建築物の出隅に複数個装着することにより化粧出隅を構築する化粧出隅部材であり、単位化粧出隅部材１０が互いに直交する第一主面１１a，第二主面１１bをもつ。主面１１a，１１b間のコーナーを除く三辺が奥行き方向に折り曲げられて頂面部１３a，１３b，側面部１４a，１４b，底面部１５a，１５bとなっており、頂面部１３a，１３b，底面部１５a，１５bのコーナーに近い部分が折り返されて同じ間口方向長さの嵌合片１６a，１６b，１７a，１７bが形成されている。第一主面１１aを第二主面１１bとの比較で１.５〜３倍の間口方向長さに設計することが好ましい。主面１１a，１１bには、エンボス加工による凹凸模様，意匠塗膜及，プリント模様等が適宜施される。【選択図】      図１
2005133346.tif 000002
【特許請求の範囲】
【請求項１】
垂直方向に沿って建築物の出隅に複数個装着することにより化粧出隅を構築する化粧出隅部材であり、単位化粧出隅部材が互いに直交する第一主面，第二主面をもち、第一主面，第二主面間のコーナーを除く三辺が奥行き方向に折り曲げられて頂面部，側面部，底面部となり、頂面部，底面部のコーナーに近い部分が折り返されて同じ間口方向長さの嵌合片が形成されていることを特徴とする化粧出隅部材。
【請求項２】
第一主面の間口方向長さが第二主面の間口方向長さの１.５〜３倍になっている請求項１記載の化粧出隅部材。
【請求項３】
エンボス加工による凹凸模様，意匠塗膜及び／又はプリント模様が第一主面，第二主面に付けられている請求項１記載の化粧出隅部材。
【請求項４】
頂面部，側面部，底面部で区画された第一主面，第二主面の裏面側空間に緩衝材が充填されている請求項１記載の化粧出隅部材。
【発明の詳細な説明】
【技術分野】
【０００１】
本発明は、建築物の出隅に装着され、建築物をアクセントに富んだ外観に仕上げる化粧出隅部材に関する。
【背景技術】
【０００２】
建築物の壁面材を両側から突き合わせた出隅では、建築資材が地盤から立ち上がった外観を呈し、建築物自体の印象を損ないかねない。出隅に化粧出隅部材を装着すると、壁面と異なる風合いが付けられ、建築物の意匠性が高まる。化粧出隅部材としては、壁面材と同材質の窯業系や金属成形品が使用されている（特許文献１，２）。
【特許文献１】特開平１１−３１１０１０号公報
【特許文献２】特開平８−１５８６１９号公報
【０００３】
従来の化粧出隅部材は垂直方向に長尺であるため、出隅に装着された状態で表面意匠や形状が定まってしまう。使用する化粧出隅部材で表面意匠や形状が決められることは、施工後の出隅がほぼ同じ外観を呈することを意味し、限られた施工自由度のため建築物それぞれの個性を引き出しがたい。施工現場では、建築物の形状に合わせて長尺の化粧出隅部材を切断しているが、切断部分が多く多量の廃棄物が生じることも長尺化粧出隅部材の欠点である。
金属切板を成形した化粧出隅部材は直線形状の役物となり、出隅に装着された状態ではフラットな印象しか得られず、意匠付与面もエンボス加工が可能な表面に限られる。そのため、平面的な意匠が付与されるに留まり、商品の差別化や建築物に与える印象の向上を図ることが困難である。
【発明の開示】
【発明が解決しようとする課題】
【０００４】
本発明は、このような問題を解消すべく案出されたものであり、金属切板の箱折りで成形した部材を一単位とすることにより化粧出隅部材に厚みをもたせ、施工自由度が高く、建築物所有者の嗜好や個々の建築物に適した装着状態が採用可能な化粧出隅部材を提供することを目的とする。
【課題を解決するための手段】
【０００５】
本発明は、垂直方向に沿って建築物の出隅に複数個装着することにより化粧出隅を構築する化粧出隅部材であり、単位化粧出隅部材が互いに直交する第一主面，第二主面をもち、第一主面，第二主面間のコーナーを除く三辺が奥行き方向に折り曲げられて頂面部，側面部，底面部となり、頂面部，底面部のコーナーに近い部分が折り返されて同じ間口方向長さの嵌合片が形成されていることを特徴とする。
【０００６】
第一主面を第二主面との比較で１.５〜３倍の間口方向長さに設計することが好ましい。第一主面，第二主面には、エンボス加工による凹凸模様，意匠塗膜，プリント模様等が適宜施される。頂面部，側面部，底面部で区画された第一主面，第二主面の裏面側空間に緩衝材をライニング又は充填しても良い。
【発明を実施するための最良の形態】
【０００７】
単体の化粧出隅部材は、代表的には一枚の金属切板を箱折り加工することにより作製されるが、樹脂やセラミックスで同様な形状に成形することも可能である。
化粧出隅部材１０は、建築物の正面，側面それぞれに合致する第一主面１１a，第二主面１１bが直角に交叉している（図１）。第一主面１１aは、第二主面１１bと比較して１.５〜３倍の間口方向長さをもっていることが好ましい。主面１１a，１１bにはエンボス加工で凹凸模様１２が付けられ、必要に応じてニーズに合った色調の塗膜やプリント模様が設けられる。
【０００８】
主面１１a，１１b間のコーナーを除く三辺が奥行き方向に曲げ加工され、頂面部１３a，１３b，側面部１４a，１４b，底面部１５a，１５bになっている。頂面部１３a，１３b，側面部１４a，１４b，底面部１５a，１５bの形成により、従来の金属薄板製出隅部材にない製品厚みをもたせることができる。頂面部１３a，１３b，側面部１４a，１４b，底面部１５a，１５bで区画される裏側窪みに発泡樹脂，軟質樹脂等の緩衝材を充填又はライニングすると、建築物の出隅に対する適合性が高くなると共に、耐衝撃性，保形性が改善された化粧出隅部材となる。
【０００９】
主面１１a，１１b間のコーナーに近い部分で頂面部１３a，１３bが直角に折り返され、嵌合片１６a，１６bが頂面部１３a，１３bの奥行き側端部から起立している。第一主面側嵌合片１６aと第二主面側嵌合片１６bとの間口方向長さは等しく設定される。底面部１５a，１５bも同様に折り返され、嵌合片１７a，１７bが底面部１５a，１５bの奥行き側端部から下方に垂下している。頂面部１３a，１３b，側面部１４a，１４b，底面部１５a，１５bに、主面１１a，１１bと同様な凹凸模様１２をつけ、或いは意匠性の高い塗膜やプリント模様を設けても良い。
【００１０】
多数の化粧出隅部材１０を垂直方向に積み上げて建築物の出隅に装着するとき、上段側化粧出隅部材１０の嵌合片１７a，１７bが下段側化粧出隅部材１０の嵌合片１６a，１６bに嵌め合わされる。嵌合片１６a，１６b及び嵌合片１７a，１７bが同じ間口方向長さに設計されているので、重なり合った上段側嵌合片１７a，１７bから下段側嵌合片１６a，１６bが突出しない。また、第一主面側の嵌合片１６a，１７aを第二主面側嵌合片１６b，１７bと同じ間口方向長さに設定しているので、一部の化粧出隅部材１０を上下反転させても上段側嵌合片１６b，１６aが下段側嵌合片１６a，１６bに完全に重なり合う。
【００１１】
次いで、化粧出隅部材１０を用いた出隅施工法を説明する。
建築物の出隅は、正面側外壁材１a，側面側外壁材１bの縁部に止水性出隅部材２を嵌め合わせて構築している（図２）。
止水性出隅部材２としては、たとえば断面Ｌ形状の着座片２aに挟持片２bを挿し込んだ金具（図３）が通常使用されている。胴縁３a，３bを介して着座片２aを柱４に釘，リベット等で固着し、着座片２aに挟持片２bを挿し込むと、正面側差込隙間２c，側面側差込隙間２dが着座片２aと挟持片２bとの間に形成される。正面側差込隙間２c，側面側差込隙間２dそれぞれに正面側外壁材１a，側面側外壁材１bを挿し込むと、正面側外壁材１aと側面側外壁材１bが止水性出隅部材２を介して直角に接続される。なお、外壁材１a，１bの裏面は、防水シート５（図２）で適宜ライニングされる。
【００１２】
出隅に装着された止水性出隅部材２に化粧出隅部材１０を被せ、嵌合片１６a，１６b，１７a，１７bを貫通して胴縁３a，３b又は柱４に釘１８u，１８dを打ち込むことにより化粧出隅部材１０が出隅に装着される。該化粧出隅部材１０を下段側とし、下段側嵌合片１６a，１６bに上段側化粧出隅部材１０の嵌合片１７a，１７bを重ね合わせ、同様な釘打ちによって複数の化粧出隅部材を出隅に沿って垂直上方に積み上げる。嵌合片１６a，１６b，１７a，１７bの固着個所に薄肉化，色分け等でマーキングを施しておくと、釘１８u，１８dの打込み作業が容易になる。下段側化粧出隅部材１０の嵌合片１６a，１６bは、上段側化粧出隅部材１０の嵌合片１７a，１７bと一緒に胴縁３a，３b又は柱４に固着しても良い。
【００１３】
第一主面１１a，第二主面１１bを揃えて複数の化粧出隅部材を垂直方向に積み上げると、正面側，側面側それぞれで一定幅の化粧面をもつ化粧出隅（図５a）が構築される。該化粧出隅は、外壁材１a，１bから頂面部１３a，１３b，側面部１４a，１４b，底面部１５a，１５bが起立しているので厚み感が付与され、しかも下段側と上段側との間に目地１９でアクセントが付けられるため、フラットな印象を与えることなく意匠性の高い出隅となる。
【００１４】
嵌合片１６a，１６b，嵌合片１７a，１７bを同じ間口方向長さに設計しているため、上段側化粧出隅部材１０を上下反転させて下段側化粧出隅部材１０に重ね合わせても、嵌合片１６a，１６b，嵌合片１７a，１７bの何れもが突出することなく下段側化粧出隅部材１０に上段側化粧出隅部材１０が積み上げられる。そのため、施工自由度が高く、建築物所有者の嗜好に合致し、或いは建築物の個性を引き出すのに適した化粧出隅が構築される。
たとえば、垂直方向各段で互い違いに上下反転させた化粧出隅部材１０を積み上げると、垂直方向に沿って縁部がジグザグになった化粧面をもつ化粧出隅（図５b）が構築される。２枚単位で上下反転させた化粧出隅部材１０を積み上げると、ジグザグのピッチが大きくなった化粧面をもつ化粧出隅（図５c）が構築される。複数の化粧出隅部材１０を垂直方向に連続して積み上げることなく、適宜のスペースＳをもたせた化粧出隅（図５d）も同様な施工手順で構築される。更には、主面１１a，１１bのサイズを変えた化粧出隅部材１０（図５e）や異なる色調の塗膜や模様を付した化粧出隅部材１０（図５f）の使用によっても、変化に富んだ化粧出隅が構築される。
【産業上の利用可能性】
【００１５】
以上に説明したように、頂面部１３a，１３b，側面部１４a，１４b，底面部１５a，１５bで厚み感を付け、垂直方向に沿って複数の化粧出隅部材１０を止水性出隅部材２に被せ、上段側，下段側化粧出隅部材１０の間に目地１９を設けると、意匠性の高い化粧出隅が構築される。化粧出隅部材１０を上下反転させても同様な施工手順で取り付けることができるため、設計自由度が高く、建築物所有者の嗜好に合わせ、或いは建築物の個性を引き出すのに適した化粧出隅となる。建築物の出隅との比較で単位化粧出隅部材１０が小さく、長尺化粧出隅部材のように施工現場の状況に応じて所定長さに切断する必要がないため、施工後に生じる廃棄物も大幅に少なくなる。化粧出隅部材１０の装着により、止水性出隅部材２の耐久性も向上する。
【図面の簡単な説明】
【００１６】
【図１】本発明に従った化粧出隅部材を表側，裏側から見た斜視図
【図２】化粧出隅部材が装着される建築物の出隅
【図３】同出隅の平断面図
【図４】化粧出隅部材の装着を説明する図
【図５】バラエティを付けて構築した化粧出隅の数例
【符号の説明】
【００１７】
１a：正面側外壁材    １b：側面側外壁材    ２：止水性出隅部材
１０：化粧出隅部材    １１a：第一主面    １１b：第二主面    １２：凹凸模様    １３a，１３b：頂面部    １４a，１４b：側面部    １５a，１５b：底面部    １６a，１６b，１７a，１７b：嵌合片    １８u，１８d：釘    １９：目地
【図１】
2005133346.tif 000003
【図２】
2005133346.tif 000004
【図３】
2005133346.tif 000005
【図４】
2005133346.tif 000006
【図５】
2005133346.tif 000007